(57)【要約】【課題】新たなバラスト水処理システムの提供。【解決手段】バラストタンク１０３に供給される液体中の水生微生物の殺菌処理をするための第１の殺菌処理装置１０１と、バラストタンク１０３内におけるバラスト水中の水生微生物の殺菌処理をするための第２の殺菌処理装置１０２とを含み、第１の殺菌処理装置１０１は液体をシーチェスト１０４からバラストタンク１０３に供給するためのバラスト水供給ライン１０５と接続し、第２の殺菌処理装置１０２は塩化ナトリウムを含む液体の電気分解により次亜塩素酸ナトリウムを発生させるための電解槽を備えるバラスト水処理システム。【選択図】図１
2012020218.tif 000002
【特許請求の範囲】
【請求項１】
バラスト水処理システムであって、
バラストタンクに供給される液体中の水生微生物の殺菌処理をするための第１の殺菌処理装置と、
バラストタンク内におけるバラスト水中の水生微生物の殺菌処理をするための第２の殺菌処理装置とを含み、
前記第１の殺菌処理装置は、前記液体をシーチェストからバラストタンクに供給するためのバラスト水供給ラインと接続し、
前記第２の殺菌処理装置は、塩化ナトリウムを含む液体の電気分解により次亜塩素酸ナトリウムを発生させるための電解槽を備える、バラスト水処理システム。
【請求項２】
前記塩化ナトリウムを含む液体は、前記バラストタンク内のバラスト水である、請求項１記載のバラスト水処理システム。
【請求項３】
前記第２の殺菌処理装置を複数個備える、請求項１又は２に記載のバラスト水処理システム。
【請求項４】
前記第１の殺菌処理装置は、塩化ナトリウムを含む液体の電気分解により次亜塩素酸ナトリウムを発生させるための電解槽を備える、請求項１から３のいずれかに記載のバラスト水処理システム。
【請求項５】
前記第１の殺菌処理装置は、塩化ナトリウム水溶液貯留タンク及び／又は塩化ナトリウム貯蔵タンクを備える、請求項４記載のバラスト水処理システム。
【請求項６】
前記第２の殺菌処理装置は、前記第１の殺菌処理装置よりも処理容量が小さい装置である、請求項１から５のいずれかに記載のバラスト水処理システム。
【請求項７】
前記バラストタンクは、複数の区画に分割されており、前記第２の殺菌処理装置は、前記区画の少なくとも１つの区画に対して１個の割合で配置されている、請求項１から６のいずれかに記載のバラスト水処理システム。
【請求項８】
前記第２の殺菌処理装置は、塩化ナトリウム水溶液貯留タンク及び／又は塩化ナトリウム貯蔵タンクを備える、請求項１から７のいずれかに記載のバラスト水処理システム。
【請求項９】
バラストタンク内のバラスト水を前記第２の殺菌処理装置に供給し、かつ前記第２の殺菌処理装置による処理後のバラスト水をバラストタンクに供給するための循環ラインを備える、請求項１から８のいずれかに記載のバラスト水処理システム。
【請求項１０】
バラストタンク内のバラスト水の次亜塩素酸ナトリウム濃度を制御するために前記第２の殺菌処理装置の制御を行う制御部を含む、請求項１から９のいずれかに記載のバラスト水処理システム。
【請求項１１】
微生物検査装置を備える、請求項１から１０のいずれかに記載のバラスト水処理システム。
【請求項１２】
請求項１から１１のいずれかに記載のバラスト水処理システムを用いてバラスト水を処理する方法であって、
バラストタンク内のバラスト水の次亜塩素酸ナトリウム濃度を測定すること、
第２の殺菌処理装置において、塩化ナトリウムを含む液体を電気分解して次亜塩素酸ナトリウムを発生させること、及び、
発生させた前記次亜塩素酸ナトリウムをバラストタンク内のバラスト水に供給することを含む、バラスト水処理方法。
【請求項１３】
前記塩化ナトリウムを含む液体は、前記バラストタンク内のバラスト水である、請求項１２記載のバラスト水処理方法。
【請求項１４】
航行中に、前記第２の殺菌処理装置における処理を行うことを含む、請求項１２又は１３に記載のバラスト水処理方法。
【請求項１５】
航行中に取水した海水、又は、塩化ナトリウム水溶液貯留タンク及び／若しくは塩化ナトリウム貯蔵タンクの塩化ナトリウムを用い、前記第２の殺菌処理装置において次亜塩素酸ナトリウムを発生させることを含む、請求項１４記載のバラスト水処理方法。
【請求項１６】
測定したバラスト水の次亜塩素酸ナトリウム濃度が、所定の基準値に至っている場合は、第２の殺菌処理装置の運転を停止させ、所定の基準値未満の場合は、前記第２の殺菌処理装置の運転を開始させることを含む、請求項１２から１５のいずれかに記載のバラスト水処理方法。
【請求項１７】
前記第２の殺菌処理装置における殺菌処理時及び／又はバラスト水の排出時に、バラスト水中の水生微生物の生細胞数を測定することを含む、請求項１２から１６のいずれかに記載のバラスト水処理方法。
【請求項１８】
船舶内に液体を取水すること、
第１の殺菌処理装置において、取水した液体中の水生微生物の殺菌処理を行うこと、及び、
殺菌処理した液体をバラストタンクに導入することを含む、請求項１２から１７のいずれかに記載のバラスト水処理方法。
【請求項１９】
請求項１から１１のいずれかに記載のバラスト水処理システムを用いてバラスト水を処理する方法であって、
船舶内に液体を取水すること、
第１の殺菌処理装置において、取水した液体中の水生微生物の殺菌処理を行うこと、及び、
殺菌処理した液体をバラストタンクに導入することを含む、バラスト水処理方法。
【請求項２０】
前記第１の殺菌処理装置は、塩化ナトリウムを含む液体の電気分解により次亜塩素酸ナトリウムを発生させるための電解槽と、塩化ナトリウム水溶液貯留タンク及び／若しくは塩化ナトリウム貯蔵タンクとを備える装置であって、前記タンクの塩化ナトリウムを用いて、前記第１の殺菌処理装置において次亜塩素酸ナトリウムを発生させることを含む、請求項１９記載のバラスト水処理方法。
【請求項２１】
バラスト水を処理する方法であって、
船舶内に液体を取水すること、取水した液体中の水生微生物の殺菌処理を行うこと、及び殺菌処理した液体をバラストタンクに導入することを含む第１の殺菌処理工程と、
バラストタンク内のバラスト水の次亜塩素酸ナトリウム濃度を測定すること、塩化ナトリウムを含む液体を電気分解して次亜塩素酸ナトリウムを発生させること、及び発生させた次亜塩素酸ナトリウムをバラストタンクに導入することを含む第２の殺菌処理工程とを含む、バラスト水処理方法。
【請求項２２】
前記第２の殺菌処理工程は、
バラストタンク内のバラスト水の次亜塩素酸ナトリウム濃度が所定の基準値に至っているか否かを判断すること、及び
所定の基準値に至っている場合は、電気分解による次亜塩素酸ナトリウムの発生を停止させ、所定の基準値に至っていない場合は、電気分解による次亜塩素酸ナトリウムの発生を開始することを含む、請求項２１記載のバラスト水処理方法。
【請求項２３】
前記第２の殺菌処理工程を航行中に行うことを含む、請求項２１又は２２に記載のバラスト水処理方法。
【請求項２４】
前記第２の殺菌処理工程及び／又はバラスト水の排出時に、バラスト水中の水生微生物の生細胞数を測定することを含む、請求項２１から２３のいずれかに記載のバラスト水処理方法。
【発明の詳細な説明】
【技術分野】
【０００１】
本発明は、バラスト水処理システム及びバラスト水処理方法に関する。
【背景技術】
【０００２】
タンカーや大型貨物船等といった船舶においては、オイルや貨物を搭載しない又はそれらの搭載量が少ない状態で航行する場合、船舶の安定性やバランスの確保のために、通常、バラストタンク内にバラスト水を収容して航行している。このバラスト水は、通常、荷揚げした港において海水などを汲み上げて注入し、荷積みした港において排出される。このように、バラスト水は荷揚げした港の海水などを使用することから、バラスト水には荷揚げした港周辺に生息する水生微生物等が含まれ、この水生微生物が荷積みした港においてバラスト水とともに排出される。
【０００３】
近年、この水生微生物を含むバラスト水の排出による生態系の乱れが国際的な問題となっている。このため、国際海事機関（ＩＭＯ）は、２００４年にバラスト水管理条約を採択し、その中で、排出するバラスト水に生息する生物の排出基準が厳しく定められている。
【０００４】
バラスト水の処理方法としては様々な方法が提案されている。具体的には、ろ過及び遠心分離等により水生微生物を除去する方法、物理的・機械的に水生微生物を殺滅する方法、熱により水生微生物を殺滅する方法、化学薬品をバラストタンク中に注入したり、塩素系物質等を生成させることにより水生微生物を殺滅する方法（例えば、特許文献１）、これらの方法を組み合わせた方法等がある。
【先行技術文献】
【特許文献】
【０００５】
【特許文献１】特表２００７−５１５２８９号公報
【発明の概要】
【発明が解決しようとする課題】
【０００６】
上記の通り、バラスト水管理条約が採択され、バラスト水処理装置の設置が義務付けられることになった。これにより、バラスト水を処理可能となる新たな技術がいっそう求められることとなった。そこで、本発明は、バラスト水を処理可能となる新たな処理システムを提供する。
【課題を解決するための手段】
【０００７】
本発明は、バラストタンクに供給される液体中の水生微生物の殺菌処理をするための第１の殺菌処理装置と、バラストタンク内におけるバラスト水中の水生微生物の殺菌処理をするための第２の殺菌処理装置とを含み、前記第１の殺菌処理装置は、前記液体をシーチェストからバラストタンクに供給するためのバラスト水供給ラインと接続し、前記第２の殺菌処理装置は、塩化ナトリウムを含む液体の電気分解により次亜塩素酸ナトリウムを発生させるための電解槽を備えるバラスト水処理システムに関する。
【発明の効果】
【０００８】
本発明によれば、バラストタンク内のバラスト水における水生微生物の増殖抑制可能な新たなバラスト水処理システムを提供できる。
【図面の簡単な説明】
【０００９】
【図１】図１は、実施の形態１におけるバラスト水処理システムの一例を示す概略構成図である。
【図２Ａ】図２Ａは、第１の殺菌処理装置の構成の一例を示す概略構成図である。
【図２Ｂ】図２Ｂは、第１の殺菌処理装置の構成のその他の例を示す概略構成図である。
【図２Ｃ】図２Ｃは、第１の殺菌処理装置の構成のさらにその他の例を示す概略構成図である。
【図２Ｄ】図２Ｄは、第１の殺菌処理装置の構成のさらにその他の例を示す概略構成図である。
【図３】図３は、第２の殺菌処理装置の構成及び配置の一例を示す概略構成図である。
【図４】図４は、実施の形態１のバラスト水処理システムにおける第１の殺菌処理装置を用いたバラスト水処理方法の一例を示すフローチャートである。
【図５】図５は、実施の形態１のバラスト水処理システムにおける第２の殺菌処理装置を用いたバラスト水の処理方法の一例を示すフローチャートである。
【図６】図６は、実施の形態１のバラスト水処理システムにおけるバラスト水の排出方法の一例を示すフローチャートである。
【図７】図７は、実施の形態２におけるバラスト水処理システムの一例を示す概略構成図である。
【図８Ａ】図８Ａは、実施の形態３におけるバラスト水処理システムの一例を示す概略構成図である。
【図８Ｂ】図８Ｂは、実施の形態３における第２の殺菌処理装置の構成及び配置の一例を示す概略構成図である。
【図９】図９は、実施の形態４におけるバラスト水処理システムのその他の例を示す概略構成図である。
【図１０】図１０は、実施の形態５におけるバラスト水処理システムのその他の例を示す概略構成図である。
【図１１】図１１は、実施の形態６におけるバラスト水処理システムのその他の例を示す概略構成図である。
【図１２】図１２は、実施の形態６のバラスト水処理システムにおける第１の殺菌処理装置を用いたバラスト水の処理方法の一例を示すフローチャートである。
【図１３】図１３は、実施の形態７におけるバラスト水処理システムの一例を示す概略構成図である。
【発明を実施するための形態】
【００１０】
本発明は、シーチェストからバラストタンクに供給される海水等の液体の殺菌処理を行うための第１の殺菌処理装置と、バラストタンク内におけるバラスト水中の水生微生物の殺菌処理を行うための第２の殺菌処理装置とを用いることにより、バラスト水を効率よく処理できるという知見に基づく。また、本発明は、バラスト水処理システムを小型化できるという知見に基づく。
【００１１】
本発明によれば、例えば、バラスト水の殺菌を維持し、またバラスト水中において水生微生物の増殖を抑制でき、好ましくはバラストタンク内においてバラスト水中の水生微生物がほぼ完全に死滅した状態を維持することができる。また、本発明によれば、次亜塩素酸ナトリウムを発生させる第２の殺菌処理装置を用いることから、例えば、低公害であり、また、殺菌処理時における微生物の変異を抑制することができる。
【００１２】
本明細書において「バラストタンクに供給される液体（単に「液体」という場合も含む）」とは、船外から取水されバラストタンクに貯留されてバラスト水として用いるものであって、海水、汽水及び淡水を含みうる。液体は、例えば、海水などのような塩化ナトリウムを含む液体であってもよいし、含んでいなくてもよい。また、液体が取水される領域は特に制限されず、海水域であってもよいし、淡水域でも、汽水域であってもよい。
【００１３】
本明細書において「水生微生物の殺菌処理」とは、処理対象である液体／バラスト水に含まれる水生微生物の少なくとも一部を殺菌処理すること及び／又は水生微生物の増殖を抑制することを含む。また、本明細書において「水生微生物の殺菌処理」とは、少なくとも水生微生物を殺菌処理すればよく、水生微生物の殺菌処理とあわせて、水生微生物よりも大きな生物やその他の生物等を殺菌処理してもよい。水生微生物の殺菌処理としては、好ましくはバラスト水の排出時において下記表１に示すバラスト水排出基準を満たすようにバラストタンク内の次亜塩素酸ナトリウム濃度を管理することを含み、より好ましくは、バラスト水の排出時において下記表１に示すバラスト水排出基準を満たすように殺菌処理を行うことを含む。
【００１４】
【表１】
2012020218.tif 000003
【００１５】
本明細書において「水生微生物」とは、海、川、湖等に生息する微生物を含み、海とつながっている河口、河川、運河等に生息し得る微生物を含みうる。水生微生物としては、例えば、酵母、カビ、植物性又は動物性プランクトン、プランクトンの卵や胞子、細菌類、菌類、ウイルス、藻類などの比較的微小サイズの水生生物等を含む。
【００１６】
［バラスト水処理システム］
本発明は、一態様において、バラストタンクに供給される液体中の水生微生物の殺菌処理をするための第１の殺菌処理装置と、バラストタンク内におけるバラスト水中の水生微生物の殺菌処理をするための第２の殺菌処理装置とを含み、第１の殺菌処理装置は、前記液体をシーチェストからバラストタンクに供給するためのバラスト水供給ラインと接続し、第２の殺菌処理装置は塩化ナトリウムを含む液体の電気分解により次亜塩素酸ナトリウムを発生させるための電解槽を備えるバラスト水処理システムに関する。本発明のバラスト水処理システムによれば、例えば、バラスト水の処理効率を向上させることができる。また、本発明のバラスト水処理システムによれば、２種類の殺菌処理装置を備えるため、例えば、船舶に搭載する殺菌処理装置を小型化することができる。
【００１７】
本発明のバラスト水処理システムにおいて、第２の殺菌処理装置は、例えば、循環処理可能なようにバラストタンクに接続していてもよい。循環処理可能なように第２の殺菌処理装置をバラストタンクに接続することにより、例えば、バラストタンク内における水生微生物の再増殖をさらに抑制でき、排出時における殺菌処理に要する負荷を低減できる。
【００１８】
本発明のバラスト水処理システムにおいて、第２の殺菌処理装置は、塩化ナトリウムを含む液体を電気分解して次亜塩素酸ナトリウムを発生させるための電解槽を備える。第２の殺菌処理装置は、発生させた次亜塩素酸ナトリウムを用いてバラスト水中の水生微生物の殺菌処理を行うことができる。このように電解処理を用いることによって、例えば、船外から持ち込まれた殺菌剤等の特殊な化学薬品等を使用することなく、水生微生物の殺菌処理を行うことができる。塩化ナトリウムを含む液体としては、例えば、バラストタンク内のバラスト水、船外から取水した海水等が挙げられる。
【００１９】
本発明のバラスト水処理システムにおいて、第２の殺菌処理装置は、処理効率向上の点から、塩化ナトリウム水溶液貯留タンク及び／又は塩化ナトリウム貯蔵タンクを備えることが好ましい。塩化ナトリウム水溶液貯留タンク及び／又は塩化ナトリウム貯蔵タンクを備えることにより、タンク内に塩化ナトリウム水溶液／塩化ナトリウムを貯留でき、必要に応じて塩化ナトリウム水溶液／塩化ナトリウムを電解槽に供給できる。これにより、例えば、淡水域を航行及び又は淡水域でバラスト水を取水する船舶であっても、次亜塩素酸ナトリウムを発生させて次亜塩素酸ナトリウムによる殺菌処理を行うことができる。また、例えば、次亜塩素酸ナトリウムの発生効率を向上させ、殺菌処理効率を向上させることができる。塩化ナトリウム水溶液貯留タンクは、海上航行中に海水を適宜取水可能なように取水ポンプと接続していてもよい。これにより、塩化ナトリウム水溶液貯留タンクをより小型化することができる。また、第２の殺菌処理装置は、塩化ナトリウム水溶液貯留タンク及び／又は塩化ナトリウム貯蔵タンクに替えて、取水ポンプを備えていてもよい。これにより、例えば、取水ポンプを通じて取水した海水を電解槽に適宜供給することが可能になり、第２の殺菌処理装置をより小型化することが可能になる。
【００２０】
本発明のバラスト水処理システムにおいて、第２の殺菌処理装置は、処理前のバラスト水及び処理後の次亜塩素酸ナトリウムを含むバラスト水を貯留可能な貯留槽を備えていてもよい。貯留槽を備えることにより、バラスト水を電解槽と貯留槽との間を循環させて貯留槽の次亜塩素酸ナトリウム濃度を上昇させることができ、処理効率を向上させることができる。
【００２１】
本発明のバラスト水処理システムにおいて、第２の殺菌処理装置は、適正な処理を行い、かつ、処理効率を向上させる点から、次亜塩素酸ナトリウム濃度計を備えることが好ましい。
【００２２】
本発明のバラスト水処理システムは、処理効率の向上及び装置の小型化の点から、第２の殺菌処理装置を複数個備えることが好ましい。第２の殺菌処理装置の数は、例えば、バラストタンクの数、容量等に応じて適宜設定できる。
【００２３】
本発明のバラスト水処理システムにおいて、装置の小型化の点から、第２の殺菌処理装置は、第１の殺菌処理装置よりも処理容量が小さい装置であることが好ましい。本発明のバラスト水処理システムによれば、まず、第１の殺菌処理装置において取水した液体の殺菌処理（第１の殺菌処理）を行った後、その液体をバラスト水供給ライン及び／又はバラストタンクに注入し、その後、第２の殺菌処理装置においてバラストタンク内のバラスト水の殺菌処理（第２の殺菌処理）を行うことが可能となる。このため、本発明のバラスト水処理システムによれば、例えば、第２の殺菌処理装置が第１の殺菌処理装置よりも処理容量が小さい装置であっても十分な殺菌処理を行うことができ、またバラストタンク内の水生微生物の増殖を抑制できる。「処理容量」としては、例えば、単位時間あたりに殺菌処理可能な量、一回の処理で殺菌処理可能な量等を含む。
【００２４】
本発明のバラスト水処理システムにおいて、第１の殺菌処理装置は、特に制限されず、バラスト水を殺菌処理するための装置が使用できる。第１の殺菌処理装置としては、例えば、機械的又は物理的に殺菌処理可能な装置、熱を用いた殺菌処理装置、化学薬品を用いた殺菌処理装置、塩素系物質等の生成を用いた殺菌処理装置等が使用でき、中でも、環境への影響を低減する点から、光触媒を用いて水生微生物を殺菌処理可能な装置、電気分解を用いて水生微生物を殺菌処理可能な装置が好ましく、より好ましくは電気分解を用いて水生微生物を殺菌処理可能な装置である。
【００２５】
第１の殺菌処理装置は、電気分解により次亜塩素酸ナトリウムを発生させるための電解槽を備えることが好ましい。第１の殺菌処理装置及び第２の殺菌処理装置として、それぞれ電解処理を用いた殺菌処理装置を使用することにより、例えば、船外から持ち込まれた殺菌剤等の特殊な化学薬品等を使用することなく、バラスト水の水生微生物の殺菌処理を行うことができる。
【００２６】
第１の殺菌処理装置は、処理効率向上の点から、塩化ナトリウム水溶液貯留タンク及び／又は塩化ナトリウム貯蔵タンクを備えることが好ましい。塩化ナトリウム水溶液貯留タンク及び／又は塩化ナトリウム貯蔵タンクを備えることにより、タンク内に塩化ナトリウム水溶液／塩化ナトリウムを貯留し、必要に応じて塩化ナトリウム水溶液／塩化ナトリウムを電解槽に供給できる。これにより、例えば、バラスト水を淡水域で取水する船舶であっても、次亜塩素酸ナトリウムを発生させて次亜塩素酸ナトリウムによる殺菌処理を行うことができる。塩化ナトリウム水溶液貯留タンクは、海水を適宜取水可能なように取水ポンプと接続していてもよい。これにより、例えば、塩化ナトリウム水溶液貯留タンクをより小型化することができ、また、次亜塩素酸ナトリウムの発生に用いる塩化ナトリウムを容易に取得することができる。
【００２７】
本発明のバラスト水処理システムにおいて、バラストタンクは、複数の区画に分割されていてもよい。分割される個数は特に制限されないが、例えば、１、２、３、４、５、６又はそれ以上が挙げられる。また、本発明のバラスト水処理システムにおいて、分割された区画の少なくとも１つの区画に対して、第２の殺菌処理装置が１個の割合で配置されていることが好ましく、装置の小型化及び配置スペース等の点から、より好ましくは少なくとも２つの区画に対して１個の割合で配置されていることが好ましい。
【００２８】
本発明のバラスト水処理システムにおいて、バラストタンクは、攪拌装置を備えていてもよい。攪拌装置によりバラストタンク内のバラスト水を攪拌することにより、例えば、バラストタンク内のバラスト水の次亜塩素酸ナトリウム濃度を容易に均一することができ、また均一な殺菌処理を行うことができる。
【００２９】
本発明のバラスト水処理システムにおいて、処理効率の向上及びバラスト水の排出時における品質管理の点から、微生物検査装置を備えることが好ましい。微生物検査装置は、例えば、第１の殺菌処理装置、第２の殺菌処理装置、バラストタンク、バラスト水供給ラインに配置することができる。バラスト水の排出時における品質管理の点からは、微生物検査装置は、バラスト水供給ラインに配置されていることが好ましい。処理効率の向上の点からは、微生物検査装置は、例えば、第２の殺菌処理装置及び／又はバラストタンクに配置されていることが好ましい。
【００３０】
本発明のバラスト水処理システムは、処理効率の向上の点から、第１の殺菌処理装置及び／又は第２の殺菌処理装置における殺菌処理の制御を行う制御部を備えることが好ましく、バラストタンク内のバラスト水の次亜塩素酸ナトリウム濃度を制御するために前記第２の殺菌処理装置の制御を行う制御部を含むことがより好ましい。
【００３１】
［バラスト水処理方法］
本発明は、その他の態様において、本発明のバラスト水処理システムを用いてバラスト水を処理する方法であって、バラストタンク内のバラスト水の次亜塩素酸ナトリウム濃度を測定すること、第２の殺菌処理装置において、塩化ナトリウムを含む液体を電気分解して次亜塩素酸ナトリウムを発生させること、及び発生させた前記次亜塩素酸ナトリウムをバラストタンク内のバラスト水に供給することを含むバラスト水処理方法に関する。本発明のバラスト水処理方法によれば、例えば、バラスト水の処理効率を向上でき、またバラストタンク内における水生微生物の再増殖を抑制することができる。本発明のバラスト水処理方法によれば、処理に要する電力等のランニングコストを低減させることができる。本発明のバラスト水処理方法は、本発明のバラスト水処理システムを用いるため、例えば、バラスト水処理に必要な船舶に搭載する殺菌処理装置を小型化することができる。
【００３２】
本態様のバラスト水処理方法において、航行中に取水した海水、又は、塩化ナトリウム水溶液貯留タンク及び／若しくは塩化ナトリウム貯蔵タンクの塩化ナトリウムを用い、前記第２の殺菌処理装置において次亜塩素酸ナトリウムを発生させることを含むことが好ましい。これにより、例えば、淡水域を航行及び又はバラスト水を淡水域で取水する船舶であっても、次亜塩素酸ナトリウムを発生させ、次亜塩素酸ナトリウムによる殺菌処理を行うことができる。また、第２の殺菌処理装置において電気分解する液体は、バラストタンク内のバラスト水であってもよい。
【００３３】
本態様のバラスト水処理方法において、処理効率の向上及びランニングコストの低減の点から、測定したバラスト水の次亜塩素酸ナトリウム濃度が所定の基準値に至っている場合は、第２の殺菌処理装置の運転を停止させ、所定の基準値未満の場合は、第２の殺菌処理装置の運転を開始させることが好ましい。所定の基準値としては、例えば、水生微生物が増殖しない濃度、水生微生物の増殖を十分抑制可能な濃度等が挙げられる。
【００３４】
本態様のバラスト水処理方法において、例えば、航行中における水生微生物の増殖の抑制、殺菌状態の維持及びバラスト水排出時における殺菌処理負荷の低減の点から、第２の殺菌処理装置における処理を航行中に行うことが好ましい。
【００３５】
本態様のバラスト水処理方法において、処理効率の向上及びランニングコストの低減の点から、バラストタンク内のバラスト水中の水生微生物の生細胞数を測定すること及び／又は第２の殺菌処理装置においてバラストタンクから供給されたバラスト水中の水生微生物の生細胞数を測定することをさらに含んでいてもよい。生細胞数は、例えば、微生物検査装置を用いて測定することができる。
【００３６】
本態様のバラスト水処理方法において、船舶内に液体を取水すること、第１の殺菌処理装置において取水した液体中の水生微生物の殺菌処理を行うこと、及び殺菌処理した液体をバラストタンクに導入することを含むことが好ましい。
【００３７】
本態様のバラスト水処理方法において、バラスト水の排出時に、例えば、排出するバラスト水に含まれる水生微生物の生細胞数を測定することをさらに含んでいてもよい。また、測定結果に応じて、排出するバラスト水の殺菌処理を行うか否かを判断してもよい。生細胞数は、例えば、微生物検査装置を用いて測定することができる。
【００３８】
本発明は、さらにその他の態様において、本発明のバラスト水処理システムを用いてバラスト水を処理する方法であって、船舶内に液体を取水すること、第１の殺菌処理装置において取水した液体中の水生微生物の殺菌処理を行うこと、及び殺菌処理した液体をバラストタンクに導入することを含むバラスト水処理方法に関する。本態様のバラスト水処理方法によれば、例えば、バラスト水の処理効率を向上させ、また処理に要するランニングコストを低減させることができる。また、本態様のバラスト水処理方法は、本発明のバラスト水処理システムを用いるため、例えば、バラスト水処理に必要な船舶に搭載する殺菌処理装置を小型化することができる。
【００３９】
本態様のバラスト水処理方法において、処理効率の向上及びランニングコストの低減の点から、バラスト水の処理が第１の殺菌処理装置による処理のみであってもよい。バラスト水の処理を第１の殺菌処理装置による処理のみにするか否かの判断は、例えば、航行時間、バラスト水の量及びバラスト水の水質状態等に応じて決定することができる。バラスト水の水質状態は、例えば、目視によって判断してもよいし、測定装置によって得られた測定結果によって判断してもよい。
【００４０】
本態様のバラスト水処理方法において、第１の殺菌処理装置は、塩化ナトリウムを含む液体の電気分解により次亜塩素酸ナトリウムを発生させるための電解槽と、塩化ナトリウム水溶液貯留タンク及び／若しくは塩化ナトリウム貯蔵タンクとを備える装置であって、前記タンクの塩化ナトリウムを用いて、前記第１の殺菌処理装置において次亜塩素酸ナトリウムを発生させることを含むことが好ましい。これにより、例えば、バラスト水を淡水域で取水する船舶であっても、次亜塩素酸ナトリウムを発生させて次亜塩素酸ナトリウムによる殺菌処理を行うことができる。
【００４１】
本態様のバラスト水処理方法において、処理効率の向上及びランニングコストの低減の点から、バラストタンク内のバラスト水中の水生微生物の生細胞数を測定することをさらに含んでいてもよい。生細胞数は、例えば、微生物検査装置を用いて測定することができる。
【００４２】
本態様のバラスト水処理方法において、バラスト水の排出時に、例えば、排出するバラスト水に含まれる水生微生物の生細胞数を測定することをさらに含んでいてもよい。また、測定結果に応じて、排出するバラスト水の殺菌処理を行うか否かを判断してもよい。生細胞数は、例えば、微生物検査装置を用いて測定することができる。
【００４３】
本発明は、さらにその他の態様において、バラスト水を処理する方法であって、船舶内に液体を取水すること、取水した液体中の水生微生物の殺菌処理を行うこと、及び殺菌処理した液体をバラストタンクに導入することを含む第１の殺菌処理工程と、バラストタンク内のバラスト水の次亜塩素酸ナトリウム濃度を測定すること、塩化ナトリウムを含む液体を電気分解して次亜塩素酸ナトリウムを発生させること、及び発生させた次亜塩素酸ナトリウムをバラストタンクに導入することを含む第２の殺菌処理工程とを含むバラスト水処理方法に関する。
【００４４】
本態様のバラスト水処理方法において、処理効率の向上及びランニングコストの低減の点から、第２の殺菌処理工程は、バラストタンク内のバラスト水の次亜塩素酸ナトリウム濃度が所定の基準値に至っているか否かを判断すること、所定の基準値に至っている場合は、電気分解による次亜塩素酸ナトリウムの発生を停止させ、所定の基準値に至っていない場合は、電気分解による次亜塩素酸ナトリウムの発生を開始することを含むことが好ましい。
【００４５】
本態様のバラスト水処理方法において、処理効率の向上及びランニングコストの低減の点から、第２の殺菌処理工程は、排出するバラスト水に含まれる水生微生物の生細胞数を測定する工程をさらに含んでいてもよい。生細胞数は、例えば、微生物検査装置を用いて測定することができる。
【００４６】
また、本態様のバラスト水処理方法において、殺菌処理工程は、例えば、バラストタンク内のバラスト水の次亜塩素酸ナトリウム濃度、液体／バラスト水の水質、及び航行時間等に応じて、第１の殺菌処理工程のみであってもよい。
【００４７】
本態様のバラスト水処理方法において、例えば、航行中における水生微生物の増殖の抑制、殺菌状態の維持及びバラスト水排出時における処理の低減の点から、第２の殺菌処理工程を航行中に行うことを含むことが好ましい。
【００４８】
本態様のバラスト水処理方法において、例えば、バラスト水の排出時にバラスト水の殺菌処理を行うバラスト水殺菌処理工程をさらに含んでいてもよい。
【００４９】
本態様のバラスト水処理方法において、バラスト水の排出時に、例えば、排出するバラスト水に含まれる水生微生物の生細胞数を測定する工程をさらに含んでいてもよい。また、測定結果に応じて、排出するバラスト水の殺菌処理を行うか否かを判断してもよい。生細胞数は、例えば、微生物検査装置を用いて測定することができる。
【００５０】
本態様のバラスト水処理方法は、例えば、本発明のバラスト水処理システムを用いて行ってもよい。
【００５１】
以下に、本発明を好適な実施の形態を示しながら詳細に説明する。但し、本発明は以下に示す実施の形態に限定されない。
【００５２】
（実施の形態１）
図１は、本発明の実施の形態１におけるバラスト水処理システムの構成を示す概略構成図である。
【００５３】
図１に示すように、本実施の形態１のバラスト水処理システムは、第１の殺菌処理装置１０１と、第２の殺菌処理装置１０２とを含む。第１の殺菌処理装置１０１は、シーチェスト１０４を通じてバラストタンク１０３にバラスト水を供給するためのバラスト水供給ライン１０５と、シーチェスト１０４とそれぞれ接続している。第２の殺菌処理装置１０２は、ライン１０６，１０７を有する循環ラインによってバラストタンク１０３と接続している。ライン１０６は、バラストタンク１０３のバラスト水を第２の殺菌処理装置１０２に供給するためのラインであり、ライン１０７は第２の殺菌処理装置１０２での処理後のバラスト水をバラストタンク１０３に供給するためのラインである。
【００５４】
［第１の殺菌処理装置］
第１の殺菌処理装置１０１は、バラストタンクに供給される液体中の水生微生物の殺菌処理をするための装置である。本実施の形態１のバラスト水処理システムにおいて、バラストポンプ１０８によりシーチェスト１０４を通じて船舶内に供給された液体は、バラスト水供給ライン１０５及びライン１１０を通じて第１の殺菌処理装置１０１に搬送される。第１の殺菌処理装置１０１への液体の搬送は、例えば、ライン１１０に配置されたポンプによって行うことができる。搬送された液体は、第１の殺菌処理装置１０１において殺菌処理された後、ライン１１１を通じてシーチェスト１０４に供給される。第１の殺菌処理装置１０１からシーチェスト１０４への液体の供給は、例えば、ライン１１１に配置されたポンプによって行うことができる。このように第１の殺菌処理装置１０１を接続させた本実施の形態１のバラスト水処理システムによれば、例えば、シーチェスト１０４において殺菌処理後の液体と未処理の液体とを混合できることから、液体中の水生微生物の殺菌処理効率を向上できる。また、ライン１１０，１１１を用いることによって液体を繰り返し殺菌処理することができることから、液体中の水生微生物の殺菌処理効率を向上できる。
【００５５】
なお、図１では、ライン１１０，１１１がそれぞれポンプを備えた形態を示しているが、本発明はこの形態に限られるものではなく、例えば、これらのポンプに替えて、第１の殺菌処理装置１０１に内蔵されたポンプ（図示せず）によって、第１の殺菌処理装置１０１への液体の搬送や、第１の殺菌処理装置１０１からシーチェスト１０４への液体の供給を行ってもよい。
【００５６】
第１の殺菌処理装置１０１としては、特に制限されず、バラスト水を殺菌処理するための公知の装置が使用できる。第１の殺菌処理装置１０１としては、例えば、機械的又は物理的に殺菌処理可能な装置、熱を用いた殺菌処理装置、化学薬品を用いた殺菌処理装置、塩素系物質等の生成を用いた殺菌処理装置等が使用でき、中でも、環境への影響を低減する点から、光触媒を用いて水生微生物を殺菌処理可能な装置、電気分解を用いて水生微生物を殺菌処理可能な装置が好ましく、より好ましくは電気分解を用いて水生微生物を殺菌処理可能な装置である。
【００５７】
電気分解を用いて水生微生物を殺菌処理可能な装置としては、電解槽を備える装置が挙げられ、例えば、図２Ａに示す装置が使用できる。図２Ａは、電気分解を用いて水生微生物を殺菌処理可能な装置の構成の一例を示す概略構成図である。図２Ａに示すように、第１の殺菌処理装置２０１は、貯留槽２１１と電解槽２１２とを備える。貯留槽２１１と電解槽２１２とはライン２１５，２１６によって接続されている。貯留槽２１１の液体はライン２１５を通じて電解槽２１２に搬送され、電解槽２１２において電解処理による殺菌処理が行われる。ついで、電解槽２１２で処理された液体はライン２１６を通じて貯留槽２１１に搬送される。
【００５８】
このような第１の殺菌処理装置２０１では、電解処理を用いるため、例えば、船外から持ち込まれた殺菌剤等の特殊な化学薬品等を使用することなく、液体中の水生微生物の殺菌処理を行うことができる。電解槽２１２では、液体に含まれる塩化ナトリウムを電解処理することよって次亜塩素酸ナトリウムを発生させ、発生させた次亜塩素酸ナトリウムを用いて液体中の水生微生物を殺菌処理することが好ましい。
【００５９】
第１の殺菌処理装置２０１において、貯留槽２１１は、未処理及び／又は処理後の液体を貯留するためのタンクであって、貯留槽２１１は、殺菌処理を行う液体を導入するライン２１３と処理後の液体を排出するためのライン２１４とそれぞれ接続している。ライン２１３は、バラスト水供給ライン１０５に接続したライン１１０と接続する。ライン２１４は、シーチェスト１０４に接続したライン１１１と接続する。シーチェスト１０４を通じて船舶内に導入された液体を、バラスト水供給ライン１０５、ライン１１０及びライン２１３を通じて貯留槽２１１に供給可能である。供給された貯留槽２１１内の液体は、ライン２１５を通じて電解槽２１２に搬送可能であり、またライン２１４を通じてシーチェスト（図示せず）にそれぞれ搬送可能である。
【００６０】
貯留槽２１１は、次亜塩素酸ナトリウムの濃度計を備えることが好ましい。これにより、貯留槽２１１内の次亜塩素酸ナトリウム濃度を管理できるとともに、貯留槽２１１内の次亜塩素酸ナトリウム濃度に応じて、例えば、貯留槽２１１に供給する液体の量、電解槽２１２及び／又はシーチェストに搬送する液体の量等といった第１の殺菌処理装置２０１におけるバラスト水の処理を制御できる。また、貯留槽２１１内の次亜塩素酸ナトリウム濃度に応じて、貯留槽２１１において、ライン２１３から供給された未処理の液体と電解槽２１２にて処理された次亜塩素酸ナトリウムを含む処理後の液体とを混合してもよい。
【００６１】
貯留槽２１１は、電解槽２１２に処理前の液体を搬送するためのポンプを備えていてもよい。貯留槽２１１及び／又は電解槽２１２は、例えば、バラストポンプとは異なる海水取水用ポンプ（図示せず）と接続していてもよい。これにより、適宜貯留槽２１１及び／又は電解槽２１２に海水を供給することができる。
【００６２】
第１の殺菌処理装置２０１は、塩化ナトリウム水溶液貯留タンク及び／又は塩化ナトリウム貯蔵タンクを備えていてもよい。図２Ｂに、第１の殺菌処理装置の構成のその他の例を示す。図２Ｂに示すように、塩化ナトリウム水溶液貯留タンク及び／又は塩化ナトリウム貯蔵タンク２１８を備えることにより、例えば、タンク２１８内に塩化ナトリウム水溶液／塩化ナトリウムを適宜貯留することができる。貯留した塩化ナトリウム水溶液／塩化ナトリウムを必要に応じて電解槽２１２に供給することによって、例えば、淡水域でバラストランクに供給する液体を取水する場合であっても、次亜塩素酸ナトリウムを発生させることができるため、次亜塩素酸ナトリウムによる殺菌処理を行うことができる。また、例えば、次亜塩素酸ナトリウムの発生効率を向上させることができ、殺菌処理効率を向上させることができる。塩化ナトリウム水溶液貯留タンクは、例えば、バラストポンプとは異なる海水取水用ポンプと接続していてもよい。これにより、塩化ナトリウム水溶液貯留タンクを小型化できる。なお、図２Ｂにおいて、図２Ａに示す構成要素と同じ構成要素には同一の符号を付しており、それらの説明は省略する。
【００６３】
第１の殺菌処理装置２０１は、ストレーナを備えていてもよい。図２Ｃに、第１の殺菌処理装置の構成のさらにその他の例を示す。図２Ｃに示すように、ストレーナ２０９は、第１の殺菌処理装置２０１とバラスト水供給ライン（図示せず）とを結ぶライン２１３に配置することが好ましい、これにより、第１の殺菌処理装置に供給される海水等の液体に含まれるゴミ等を濾過等により除去することができる。なお、図２Ｃにおいて、図２Ａに示す構成要素と同じ構成要素には同一の符号を付しており、それらの説明は省略する。
【００６４】
なお、図２ＡからＣでは、貯留槽２１１と電解槽２１２とが２本のライン２１５，２１６によって接続した形態を例にとり説明したが、本発明はこれに限られるものではない。貯留槽２１１と電解槽２１２とが、例えば、１本のラインによって接続されており、その一本のラインによって、貯留槽２１１から電解槽２１２への液体の供給と、電解槽２１２から貯留槽２１１への液体の供給とを行ってもよい。
【００６５】
図２ＡからＣでは、第１の殺菌処理装置２０１が、貯留槽２１１と電解槽２１２とを備える形態を例にとり説明したが本発明はこれに限られるものではなく、例えば、１つの処理槽によって電解処理と液体の貯留とを行ってもよい。図２Ｄに、第１の殺菌処理装置の構成のさらにその他の例を示す。なお、図２Ｄにおいて、図２Ａに示す構成要素と同じ構成要素には同一の符号を付しており、それらの説明は省略する。
【００６６】
図２Ｄに示すように、第１の殺菌処理装置２０１は、１つの処理槽２１９のみを備える装置であってもよい。処理槽２１９において、未処理及び／又は処理後の液体の貯留と、液体の電気分解処理とを行う。このように１つの処理槽２１９で貯留と電解処理を行う装置であれば、例えば、第１の殺菌処理装置をさらに小型化することができる。
【００６７】
本形態の第１の殺菌処理装置２０１は、塩化ナトリウム水溶液貯留タンク及び／又は塩化ナトリウム貯蔵タンク２１８を備えていてもよい。タンク２１８に塩化ナトリウム水溶液／塩化ナトリウムを適宜貯留し、必要に応じて塩化ナトリウム水溶液／塩化ナトリウムを処理槽２１９に供給することによって、例えば、次亜塩素酸ナトリウムの発生効率や殺菌処理効率を向上させることができる。
【００６８】
第１の殺菌処理装置２０１は、さらに、第１の殺菌処理装置２０１における処理を制御するための制御部（図示せず）を備えることが好ましい。制御部は、例えば、貯留槽２１１内の次亜塩素酸ナトリウム濃度及び／又はバラスト水供給ライン１０５内の次亜塩素酸ナトリウム濃度等に応じて、バラスト水供給ライン１０５から第１の殺菌処理装置１０１に供給する液体の量、電解槽２１２に供給するバラスト水（処理水）の量、及び電解槽２１２における処理時間等の制御を行うことが好ましい。
【００６９】
［第２の殺菌処理装置］
本実施の形態１におけるバラスト水処理システムは、上記の通り、第２の殺菌処理装置１０２を備える。第２の殺菌処理装置１０２は、バラストタンクに供給される液体中の水生微生物の殺菌処理をするための装置であって、バラスト水を電気分解して次亜塩素酸ナトリウムを発生させるための電解槽を備える装置である。このように電解処理によって発生させた次亜塩素酸ナトリウムを用いて殺菌処理を行うことによって、例えば、船外から持ち込まれた殺菌剤等の特殊な化学薬品等を使用することなく、水生微生物の殺菌処理を行うことができる。
【００７０】
第２の殺菌処理装置１０２は、図１に示すように、ポンプをそれぞれ備えるライン１０６，１０７によってバラストタンク１０３と接続し、このライン１０６，１０７によってバラストタンク１０３内のバラスト水を循環処理可能なようにバラストタンク１０３に配置されている。すなわち、ライン１０６を通じてバラストタンク１０３内のバラスト水を第２の殺菌処理装置１０２に供給可能であり、また、ライン１０７を通じて第２の殺菌処理装置１０２内のバラスト水をバラストタンク１０３に供給可能である。バラストタンク１０３から第２の殺菌処理装置１０２へのバラスト水の供給は、例えば、ライン１０６に配置されたポンプによって行うことができる。第２の殺菌処理装置１０２からバラストタンク１０３へのバラスト水の供給は、例えば、ライン１０７に配置されたポンプによって行うことができる。
【００７１】
なお、図１では、ライン１０６，１０７がそれぞれポンプを備えた形態を示しているが、本発明はこの形態に限られるものではなく、例えば、これらのポンプに替えて、第２の殺菌処理装置１０２に内蔵されたポンプ（図示せず）によって、第２の殺菌処理装置１０２からバラストタンク１０３へのバラスト水の供給や、第２の殺菌処理装置１０２からバラストタンク１０３へのバラスト水の供給を行ってもよい。
【００７２】
なお、本実施の形態１では、図１に示すように、第２の殺菌処理装置１０２とバラストタンク１０３とが２本のライン１０６，１０７によって接続した形態を例にとり説明したが、本発明のバラスト水処理システムはこれに限られるものではない。第２の殺菌処理装置１０２とバラストタンク１０３とが１本のラインによって接続し、そのラインによって、バラストタンク１０３から第２の殺菌処理装置１０２へのバラスト水の供給と、第２の殺菌処理装置１０２からバラストタンク１０３へのバラスト水の供給とを行ってもよい。
【００７３】
第２の殺菌処理装置としては、例えば、上記第１の殺菌処理装置の例で示した電解槽と貯留槽とを備える装置が使用できる。第２の殺菌処理装置の構成の一例を、図３を用いて説明する。
【００７４】
図３は、第２の殺菌処理装置１０２の構成及び配置の一例を示す概略構成図である。図３に示すように、第２の殺菌処理装置１０２は、貯留槽３１１と電解槽３１２とを備え、貯留槽３１１と電解槽３１２とはライン３１５，３１６によって接続し、貯留槽３１１と電解槽３１２との間で循環処理を行うことが可能である。
【００７５】
第２の殺菌処理装置１０２において、貯留槽３１１は、処理前のバラスト水及び／又は処理後のバラスト水を貯留するためのタンクである。貯留槽３１１は、ライン３０６，３０７とそれぞれ接続し、ライン３０６を通じてバラストタンク１０３のバラスト水を導入可能であり、ライン３０７を通じて処理後のバラスト水をバラストタンク１０３に供給可能である。バラストタンク１０３から貯留槽３１１（第２の殺菌処理装置１０２）へのバラスト水への供給は、例えば、バラストタンク１０３に設けられたポンプ（図示せず）等を用いて行うことができる。
【００７６】
貯留槽３１１は、次亜塩素酸ナトリウムの濃度計を備えることが好ましい。これにより、貯留槽３１１の次亜塩素酸ナトリウム濃度を管理できるとともに、貯留槽３１１の次亜塩素酸ナトリウム濃度に応じて、例えば、第２の殺菌処理装置１０２（電解槽３１２）におけるバラスト水の処理を制御できる。第２の殺菌処理装置１０２におけるバラスト水の処理の制御としては、バラストタンク１０３から第２の殺菌処理装置１０２へのバラスト水の流量、貯留槽３１１に供給するバラスト水の量、貯留槽３１１から電解槽３１２に搬送するバラスト水の量等が挙げられる。
【００７７】
バラストタンク１０３と第２の殺菌処理装置１０２とを接続するライン１０６は、次亜塩素酸ナトリウムの濃度計を備えてもよい。これにより、バラストタンク１０３の次亜塩素酸ナトリウム濃度を管理できるとともに、バラストタンク１０３の次亜塩素酸ナトリウム濃度に応じて、例えば、第２の殺菌処理装置１０２におけるバラスト水の処理を制御できる。
【００７８】
貯留槽３１１は、電解槽３１２に処理水を搬送するためのポンプ（図示せず）を備えていてもよい。貯留槽３１１及び／又は電解槽３１２は、例えば、バラストポンプとは異なる海水取水用ポンプ（図示せず）と接続していてもよい。これにより、貯留槽３１１及び／又は電解槽３１２に海水を適宜供給することができる。
【００７９】
第２の殺菌処理装置１０２は、さらに、塩化ナトリウム水溶液貯留タンク及び／又は塩化ナトリウム貯蔵タンク（図示せず）を備えていてもよい。塩化ナトリウム水溶液貯留タンク及び／又は塩化ナトリウム貯蔵タンクは、例えば、貯留槽３１１と電解槽３１２とをつなぐライン３１５に取り付けることが好ましい。これにより、必要に応じて塩化ナトリウム水溶液／塩化ナトリウムを電解槽３１２に供給することができ、例えば、淡水域でバラストランクに供給する液体を取水する場合や、淡水域を航行する船舶であっても、次亜塩素酸ナトリウムによる殺菌処理を行うことができる。また、例えば、次亜塩素酸ナトリウムの発生効率を向上させることができる。塩化ナトリウム水溶液貯留タンクは、例えば、バラストポンプとは異なる海水取水用ポンプ（図示せず）と接続していてもよい。これにより、塩化ナトリウム水溶液貯留タンクを小型化できる。
【００８０】
第２の殺菌処理装置１０２は、さらに、第２の殺菌処理装置１０２における処理を制御するための制御部（図示せず）を備えることが好ましい。制御部は、例えば、貯留槽３１１の次亜塩素酸ナトリウム濃度及び／又はバラストタンク１０３の次亜塩素酸ナトリウム濃度等に応じて、ライン３０６から第２の殺菌処理装置１０２に供給するバラスト水の量又は流量、電解槽３１２に供給するバラスト水の量又は流量、電解槽３１２におけるバラスト水の電解処理時間等の制御を行うことが好ましい。
【００８１】
本実施の形態１のバラスト水処理システムにおいて、処理効率の向上及びランニングコストの低減の点から、バラスト水供給ライン１０５は、次亜塩素酸ナトリウム濃度計を備えることが好ましい。これにより、例えば、バラストタンクに供給されるバラスト水の次亜塩素酸ナトリウム濃度や排出時のバラスト水の次亜塩素酸ナトリウム濃度の測定、第1の殺菌処理装置１０１及び／又は第２の殺菌処理装置１０２における処理の制御、バラストポンプによる取水の制御等を行うことができる。
【００８２】
本実施の形態１のバラスト水処理システムを用いたバラスト水の処理方法を、図４〜６を用いて説明する。図４は、実施の形態１のバラスト水処理システムにおける第１の殺菌処理装置を用いたバラスト水の処理方法の一例を示すフローチャートであり、図５は、実施の形態１のバラスト水処理システムにおける第２の殺菌処理装置を用いたバラスト水の処理方法の一例を示すフローチャートであり、図６は、実施の形態１のバラスト水処理システムにおけるバラスト水の排出方法の一例を示すフローチャートである。なお、下記の方法は、第１の殺菌処理装置として、電解処理により次亜塩素酸ナトリウムを発生させる殺菌装置を用いた場合を例にとり説明するが、本発明はこれに限定されるものではないことはいうまでもない。
【００８３】
まず、第１の殺菌処理装置１０１を用いたバラスト水の殺菌処理を行う。第１の殺菌処理装置１０１を用いた殺菌処理は、海水等の液体を取水時に行う処理であって、通常、停泊時に行われる処理である。
【００８４】
図４を用いて第１の殺菌処理装置による殺菌処理方法の一例を説明する。図４に示すように、まず、バラストポンプを始動させる（Ｓ４０２）。これによりシーチェスト１０４を通じて液体の取り込みが開始される。取り込まれた液体の少なくとも一部又は全部を、バラスト水供給ライン１０５、ライン１１０を通じて第１の殺菌処理装置１０１に流入する（Ｓ４０３）。第１の殺菌処理装置１０１の電解槽において電解処理を行うことにより次亜塩素酸ナトリウムを発生させる（Ｓ４０４）。この発生した次亜塩素酸ナトリウムにより、液体に含まれる水生微生物が殺菌処理される。
【００８５】
ついで、次亜塩素酸ナトリウムを含む液体を、第１の殺菌処理装置１０１からシーチェスト１０４に注入する（Ｓ４０５）。この次亜塩素酸ナトリウムを含む液体をシーチェスト１０４に注入することにより、シーチェスト１０４における液体に含まれる水生微生物を次亜塩素酸ナトリウムにより殺菌処理することができる。Ｓ４０２〜Ｓ４０５の処理を繰り返し行うことにより、第１の殺菌処理装置によるバラスト水の殺菌処理を行う。
【００８６】
バラスト水供給ライン１０５内の液体における次亜塩素酸ナトリウム及び／又は水生微生物の濃度の測定を行う（Ｍ４０２）。その濃度が所定の基準値を満たさない場合は、例えば、第１の殺菌処理装置１０１における処理量、液体供給量、次亜塩素酸ナトリウムの発生量、シーチェスト１０４に供給する液体の次亜塩素酸ナトリウムの濃度等の制御を行う（Ｃ４０２）。
【００８７】
そして、バラストタンク１０３にバラスト水を供給し（Ｓ４０６）、バラストタンク１０３内に所定量の液体（バラスト水）を供給が完了したら（Ｓ４０７）、バラストポンプを停止する（Ｓ４０８）とともに、第１の殺菌処理装置１０１を停止させる。
【００８８】
シーチェスト１０４から第１の殺菌処理装置１０１に液体を流入させるにあたり、第１の殺菌処理装置１０１に流入する液体中の塩化ナトリウムの濃度の測定を行い（Ｍ４０１）、第１の殺菌処理装置１０１に流入する液体の量又は流量、第１の殺菌処理装置１０１における処理量等の制御を行ってもよい（Ｃ４０１）。
【００８９】
液体の取水前に、別途、第１の殺菌処理装置１０１に液体を供給し（Ｂ４０１）、その液体を電気分解処理して次亜塩素酸ナトリウムを発生させ、次亜塩素酸ナトリウムを含む液体を調製しておいてもよい（Ｂ４０２）。予め準備した次亜塩素酸ナトリウムを含む処理水を、液体の取水開始（Ｓ４０１）とともにシーチェスト１０４に導入することにより、処理効率を向上させることができる。予め発生させた次亜塩素酸ナトリウムを含む液体は、第１の殺菌処理装置１０１に海水を流入する前に、シーチェスト１０４に供給してもよい（図示せず）。これにより、処理効率をさらに向上させることができる。
【００９０】
つぎに、第２の殺菌処理装置１０２を用いたバラスト水の殺菌処理を行う。第２の殺菌処理装置１０２によるバラスト水の殺菌処理は、例えば、海水等の液体の取水時（停泊時）に第１の殺菌処理装置１０１による殺菌処理と並行して行ってもよいし、航行中に行ってもよいが、航行中における水生微生物の増殖を抑制する点から、航行中に行うことが好ましい。第２の殺菌処理装置１０２における殺菌処理は、例えば、バラストタンク１０３内のバラスト水の次亜塩素酸ナトリウム濃度に応じて行うことができ、その処理は、連続的であってもよいし、断続的であってもよく、また定期的であってもよいし、不定期であってもよい。
【００９１】
図５を用いて第２の殺菌処理装置１０２を用いたバラスト水の殺菌処理方法の一例を説明する。図５に示すように、バラストタンク１０３への入水が完了したことを確認し（Ｓ５０１）、入水の完了が確認できたら、バラストタンク１０３内のバラスト水の検知を行う（Ｓ５０２）。バラストタンク１０３内にバラスト水が検知されなければ、バラストタンク１０３内のポンプを起動させず（Ｓ５０９）、検知された場合は、バラストタンク１０３内のポンプを起動させる（Ｓ５０３）。
【００９２】
ついで、ポンプを用いて取水したバラストタンク１０３内のバラスト水の次亜塩素酸ナトリウム濃度を、次亜塩素酸ナトリウム濃度計を用いて測定する（Ｓ５０４）。バラスト水の次亜塩素酸ナトリウム濃度が所定の基準値を満たしている場合は、第２の殺菌処理装置１０２を起動させず（Ｓ５０７）、取水したバラスト水はバイパスラインを用いてバラストタンク１０３に返送する（Ｓ５０８）。一方、バラスト水の次亜塩素酸ナトリウム濃度が所定の基準値未満である場合は、第２の殺菌処理装置１０２を起動させるとともに、取水したバラスト水を第２の殺菌処理装置１０２に供給し、第２の殺菌処理装置１０２において電解処理によって次亜塩素酸ナトリウムを発生させる（Ｓ５０５）。この発生した次亜塩素酸ナトリウムにより、バラスト水に含まれる水生微生物が殺菌処理される。そして、発生させた次亜塩素酸ナトリウムを含むバラスト水をバラストタンク１０３に注入する（Ｓ５０６）。この操作を繰り返し行うことにより、バラストタンク１０３内のバラスト水の次亜塩素酸ナトリウム濃度を所定の範囲の濃度で維持することにより、バラストタンク１０３内のバラスト水中の水生微生物を殺菌処理し、その増殖を抑制できる。
【００９３】
このバラスト水の次亜塩素酸ナトリウムの濃度測定及び第２の殺菌処理装置１０２を用いた処理を含むバラスト水の次亜塩素酸ナトリウムの濃度管理は、排出時まで継続的に行うことが好ましい。
【００９４】
ついで、荷積み港に到着後、バラスト水の排出を行う。バラスト水の排出は、バラスト水排出口から行ってもよいし、シーチェスト１０４を通じて行ってもよい。バラスト水の排出は下記のようにして行うことができる。
【００９５】
図６を用いて、シーチェスト１０４を通じたバラスト水の排出方法を例にとり説明する。図６に示すように、排出ポンプを起動させ、バラストタンク１０３からバラスト水の排出を開始する（Ｓ６０２）。本形態において排出は、バラストタンク１０３からバラスト水供給ライン１０５及びシーチェスト１０４を通じて行われる。排出ポンプとしては、例えば、バラストポンプ１０８が使用できる。この際、排出するバラスト水の流量及びバラスト水の次亜塩素酸ナトリウム濃度の測定を行う（Ｓ６０３）。次亜塩素酸ナトリウム濃度の測定は、例えば、バラスト水供給ライン１０５に配置された次亜塩素酸ナトリウム濃度計を用いて行うことができる。そして、バラスト水の次亜塩素酸ナトリウム濃度等に応じて、必要であれば、還元剤を排出するバラスト水に注入する（Ｓ６０４）。還元剤としては、チオ硫酸ナトリウム、亜硫酸ナトリウム等があげられる。再度、排出するバラスト水の次亜塩素酸ナトリウム濃度を測定し、その濃度が所定の範囲であれば、その濃度を記録するとともに（Ｓ６０５）、バラスト水を排出する（Ｓ６０６）。また、排出するバラスト水の次亜塩素酸ナトリウム濃度が所定の範囲を超えている場合は、排出するバラスト水の次亜塩素酸ナトリウム濃度が所定の範囲となるように注入する還元剤量を調整する（Ｓ６０８）。
【００９６】
一方、バラストタンク１０３からバラスト水の排出を開始する際に（Ｓ６０２）、排出するバラスト水を別途取得し、濃縮装置を用いて濃縮する（Ｓ６０９）。ついで、微生物検査装置を用いて取得したバラスト水中の水生微生物の生細胞数を測定するとともに（Ｓ６１０）、それを記録する（Ｓ６１２）。得られた水生微生物の生細胞数等に応じて、必要であれば、第２の殺菌処理装置１０２又は第１の殺菌処理装置１０１を用いて殺菌処理を行ってもよい（Ｓ６１１）。濃縮装置へのライン（図示せず）は、例えば、排出部近傍であって、排出ラインに対して直線的な部分に取り付けられていることが好ましい。
【００９７】
水生微生物の生細胞数の測定は、バラスト水の排出開始前に行ってもよい。これにより、例えば、バラスト水の排出開始前にバラストタンク内の水生微生物の生細胞数が、バラスト水管理条約で定められた排出基準を満たすか否かを早期に確認することができる。排出基準を満たさないことが確認された場合は、第２の殺菌処理装置１０２又は第１の殺菌処理装置１０１を用いて殺菌処理を行うことが好ましい。
【００９８】
（実施の形態２）
図７は、本発明の実施の形態２におけるバラスト水処理システムの構成を示す概略構成図である。図７において、図１に示す構成要素と同じ構成要素には同一の符号を付しており、それらの説明は省略する。
【００９９】
本実施の形態２のバラスト水処理システムは、隔壁により複数の区画に分割されたバラストタンクにおいて、バラストタンクの区画それぞれに第２の殺菌処理装置が配置された形態、すなわち、区画ごとに第２の殺菌処理装置が配置された形態を示す。図７に示すように、バラストタンク７０３は、隔壁により複数の区画７０３ａ，７０３ｂ，７０３ｃ，７０３ｄに分割されている。分割されたバラストタンク７０３の各区画７０３ａ，７０３ｂ，７０３ｃ，７０３ｄのそれぞれに対して第２の殺菌処理装置７０２ａ，７０２ｂ，７０２ｃ，７０２ｄが配置され、各区画７０３ａ，７０３ｂ，７０３ｃ，７０３ｄのそれぞれと第２の殺菌処理装置７０２ａ，７０２ｂ，７０２ｃ，７０２ｄとは、区画内のバラスト水を循環処理可能なようにライン（例えば、７０６ａ，７０７ａ）によって接続されている。
【０１００】
図７に示すように、第２の殺菌処理装置を区画ごとに配置することにより、例えば、第２の殺菌処理装置を小型化することが可能になり、小スペースであっても第２の殺菌処理装置を配置可能になり、さらにはバラスト水処理システム全体を小型化できうる。また、本実施の形態２のバラスト水処理システムによれば、例えば、第２の殺菌処理装置を任意の自由な箇所に配置することが容易になる。
【０１０１】
（実施の形態３）
図８Ａは、本発明の実施の形態３におけるバラスト水処理システムの構成を示す概略構成図である。図８Ａにおいて、図１に示す構成要素と同じ構成要素には同一の符号を付しており、それらの説明は省略する。
【０１０２】
本実施の形態３のバラスト水処理システムは、隔壁により複数の区画に分割されたバラストタンクにおいて、２つの区画に対して１個の割合で第２の殺菌処理装置が配置された形態を示す。図８Ａに示すように、バラストタンク８０３は、隔壁により複数の区画８０３ａ，８０３ｂ，８０３ｃ，８０３ｄに分割されている。分割されたバラストタンク８０３の区画８０３ａ，８０３ｂに対して１つの第２の殺菌処理装置８０２ａが配置され、区画８０３ｃ，８０３ｄに対して１つの第２の殺菌処理装置８０２ｂが配置されていている。また、区画８０３ａ，８０３ｂと第２の殺菌処理装置８０２ａとは、区画内のバラスト水を循環処理可能なようにラインによって接続されており、区画８０３ｃ，８０３ｄと第２の殺菌処理装置８０２ｂとは、区画内のバラスト水を循環処理可能なようにラインによって接続されている。
【０１０３】
図８Ａに示すように、第２の殺菌処理装置を所定の数の区画に対して１個の割合で配置することにより、例えば、第２の殺菌処理装置を小型化することが可能になり、小スペースであっても第２の殺菌処理装置を配置可能になり、さらにはバラスト水処理システム全体を小型化できうる。また、本実施の形態３のバラスト水処理システムによれば、例えば、第２の殺菌処理装置を任意の自由な箇所に配置することが容易になる。
【０１０４】
第２の殺菌処理装置としては、例えば、実施の形態１において第１の殺菌処理装置の例で示した装置、具体的には、電解槽と貯留槽とを備え、必要に応じて塩化ナトリウム水溶液貯留タンク及び／又は塩化ナトリウム貯蔵タンクを備える装置が使用できる。
【０１０５】
第２の殺菌処理装置の一例としてバラストタンク８０３の区画２つ（８０３ａ，８０３ｂ）に対して１個の割合で第２の殺菌処理装置８０２が配置された構成について、図面を用いて説明する。図８Ｂは、第２の殺菌処理装置８０２の構成及び配置の一例を示す概略構成図である。
【０１０６】
図８Ｂに示すように、第２の殺菌処理装置８０２は、貯留槽８１１と電解槽８１２とを備える。貯留槽８１１と電解槽８１２とはライン８１５，８１６によって接続し、これにより、貯留槽８１１と電解槽８１２との間で循環処理を行うことが可能である。
【０１０７】
第２の殺菌処理装置８０２において、貯留槽８１１は、処理前のバラスト水及び／又は処理後のバラスト水を貯留するためのタンクであって、貯留槽８１１は、バラストタンク８０３内のバラスト水を導入するためのライン８０６と処理後のバラスト水をバラストタンク８０３に供給するためのライン８０７とそれぞれ接続している。なお、バラストタンク８０３から貯留槽８１１（第２の殺菌処理装置８０２）へのバラスト水への供給は、例えば、各区画８０３ａ，８０３ｂに設けられたポンプ等を用いて行うことができる。
【０１０８】
貯留槽８１１は、次亜塩素酸ナトリウムの濃度計を備えることが好ましい。これにより、貯留槽８１１内の次亜塩素酸ナトリウム濃度を管理できるとともに、貯留槽８１１の次亜塩素酸ナトリウム濃度に応じて、例えば、第２の殺菌処理装置８０２におけるバラスト水の処理を制御できる。第２の殺菌処理装置８０２におけるバラスト水の処理の制御としては、各区画８０３ａ，８０３ｂから第２の殺菌処理装置８０２へのバラスト流量、貯留槽８１１に供給するバラスト水の量、貯留槽８１１から電解槽８１２に搬送するバラスト水の量等が挙げられる。また、貯留槽８１１内の次亜塩素酸ナトリウム濃度に応じて、貯留槽８１１において、ライン８０６から供給されたバラスト水と電解槽８１２にて処理された次亜塩素酸ナトリウムを含む処理後のバラスト水とを混合してもよい。
【０１０９】
バラストタンク８０３と第２の殺菌処理装置８０２とを接続するライン８０６は、次亜塩素酸ナトリウムの濃度計を備えてもよい。これにより、バラストタンク８０３内の次亜塩素酸ナトリウム濃度を管理できるとともに、バラストタンク８０３内の次亜塩素酸ナトリウム濃度に応じて、例えば、第２の殺菌処理装置８０２におけるバラスト水の処理を制御できる。
【０１１０】
貯留槽８１１は、電解槽８１２に処理水を搬送するためのポンプを備えていてもよい。
【０１１１】
第２の殺菌処理装置８０２は、さらに、第２の殺菌処理装置８０２における処理を制御するための制御部（図示せず）を備えることが好ましい。制御部は、例えば、貯留槽８１１内の次亜塩素酸ナトリウム濃度及び／又はバラストタンク８０３内の次亜塩素酸ナトリウム濃度等に応じて、ライン８０６から第２の殺菌処理装置８０２に供給するバラスト水の量又は流量、電解槽８１２に供給するバラスト水の量又は流量、電解槽８１２におけるバラスト水の電解処理時間等の制御を行うことができる。
【０１１２】
（実施の形態４）
図９は、本実施の形態４におけるバラスト水処理システムの構成を示す概略構成図である。本実施の形態４のバラスト水処理システムは、第１の殺菌処理装置１０１が、処理後の液体の搬送ラインとして、シーチェスト１０４と接続するライン１１１ａ、及びバラスト水供給ライン１０５と接続するライン１１１ｂを備える以外は実施の形態１の構成と同じである。なお、図９において、図１に示す構成要素と同じ構成要素には同一の符号を付しており、それらの説明は省略する。
【０１１３】
図９に示すように、本実施の形態４のバラスト水処理システムにおいて、シーチェスト１０４を通じて船舶内に供給された液体は、バラスト水供給ライン１０５及びライン１１０を通じて第１の殺菌処理装置１０１に搬送される。ついで、第１の殺菌処理装置１０１において液体が殺菌処理される。そして殺菌処理された液体は、ライン１１１ａを通じてシーチェスト１０４に供給されるか、又はライン１１１ｂを通じてバラスト水供給ライン１０５に供給される。処理後の液体を、何れのライン１１１ａ，１１１ｂを通じて供給するかは、例えば、処理後の液体における次亜塩素酸ナトリウム濃度、水量、流量等に応じて適宜決定できる。
【０１１４】
（実施の形態５）
図１０は、本実施の形態５におけるバラスト水処理システムの構成を示す概略構成図である。本実施の形態５のバラスト水処理システムは、第１の殺菌処理装置１０１への液体の供給ラインとして、バラストポンプ１０８によって取水された液体を供給可能なように接続するライン１１０に加えて、バラストポンプ１０８とは異なるポンプであって海水を取水可能なポンプ１０１１に接続したライン１０１０を備える以外は実施の形態４の構成と同じである。なお、図１０において、図９に示す構成要素と同じ構成要素には同一の符号を付しており、それらの説明は省略する。
【０１１５】
図１０に示すように、本実施の形態５のバラスト水処理システムにおいて、第１の殺菌処理装置１０１は、ライン１０１０によって海水を取水可能なポンプ１０１１と接続している。このため、本実施の形態５のバラスト水処理システムによれば、例えば、バラストポンプ１０８を駆動させることなく、第１の殺菌処理装置１０１に海水を直接供給でき、液体の殺菌処理を行うことができる。また、第１の殺菌処理装置１０１において発生された次亜塩素酸ナトリウムを含む液体を、ライン１１１ｂを通じてバラスト水供給ライン１０５に供給し、次亜塩素酸ナトリウムを含む処理水とバラストポンプ１０８により取水された液体とをバラスト水供給ライン１０５において混合させ、それにより殺菌処理を行うこともできる。
【０１１６】
（実施の形態６）
図１１は、本発明の実施の形態６におけるバラスト水処理システムの構成を示す概略構成図である。図１１において、図１に示す構成要素と同じ構成要素には同一の符号を付しており、それらの説明は省略する。
【０１１７】
図１１に示すように、本実施の形態６のバラスト水処理システムは、第１の殺菌処理装置１１０１と、第２の殺菌処理装置１０２とを含み、第１の殺菌処理装置１１０１は、ライン１１１０，１１１１によってバラスト水供給ライン１０５と接続している。すなわち、本実施の形態６のバラスト水処理システムにおいて、バラストポンプ１０８によりシーチェスト１０４を通じて船舶内に供給された液体は、バラスト水供給ライン１０５及びライン１１１０を通じて第１の殺菌処理装置１００１に搬送された後、第１の殺菌処理装置１１０１において殺菌処理され、処理後の液体はライン１１１１を通じてバラスト水供給ライン１０５に供給される。
【０１１８】
なお、本実施の形態６では、第１の殺菌処理装置１１０１とバラスト水供給ライン１０５とが２本のライン１１１０，１１１１によって接続した形態を例にとり説明したが、本実施の形態６のバラスト水処理システムはこれに限られるものではなく、例えば、１本のラインによって、バラスト水供給ライン１０５から第１の殺菌処理装置１１０１への未処理の液体の供給と、第１の殺菌処理装置１１０１からバラスト水供給ライン１０５への処理後の液体の供給とを行ってもよい。
【０１１９】
また、本実施の形態６のバラスト水処理システムは、上記第１の殺菌処理装置１１０１とバラスト水供給ライン１０５との接続が異なる以外は、その他の構成は実施の形態１のバラスト水処理システムと同じである。
【０１２０】
本実施の形態６のバラスト水処理システムを用いたバラスト水の処理は、例えば、下記のようにして行うことができる。図１２は、実施の形態２のバラスト水処理システムにおける第１の殺菌処理装置を用いたバラスト水処理方法の一例を示すフローチャートである。
【０１２１】
図１２に示すように、本実施の形態６における第１の殺菌処理装置１１０１を用いたバラスト水の処理は、第１の殺菌処理装置１１０１で発生させた次亜塩素酸ナトリウムを含む液体を、第１の殺菌処理装置１１０１からライン１１１１を通じてバラスト水供給ライン１０５に注入する（Ｓ４１５）以外は、実施の形態１と同様に行うことができる。
【０１２２】
（実施の形態７）
図１３は、本発明の実施の形態７におけるバラスト水処理システムの構成を示す概略構成図である。図１３において、図１に示す構成要素と同じ構成要素には同一の符号を付しており、それらの説明は省略する。
【０１２３】
本実施の形態７のバラスト水処理システムは、第１の殺菌処理装置１３０１がバラスト水供給ライン１３０５に、インライン処理可能なように配置されている以外は実施の形態１の構成と同じである。
【０１２４】
図１３に示すように、本実施の形態７のバラスト水処理システムは、第１の殺菌処理装置１３０１と、第２の殺菌処理装置１０２とを含み、第１の殺菌処理装置１３０１はバラスト水供給ライン１３０５に配置されている。本実施の形態７によれば、第１の殺菌処理装置１３０１がバラスト水供給ライン１３０５に配置されていることから、インラインによる殺菌処理が可能となり、バラストタンク１０３へのバラスト水の供給と殺菌処理とを効率よく行うことができる。
【０１２５】
第１の殺菌処理装置１３０１における殺菌処理としては、上記したとおり、例えば、機械的な殺菌処理、光触媒を用いた殺菌処理、化学薬品の注入による殺菌処理等が挙げられる。化学薬品としては、海洋微生物を殺菌するために使用される公知の殺菌剤が使用でき、例えば、次亜塩素酸ナトリウム、二酸化塩素、過酸化水素、オゾン、過酢酸等が挙げられる。第１の殺菌処理装置１３０１としては、その他の実施の形態と同様のものが使用できる。
【０１２６】
本実施の形態７のバラスト水処理システムにおいて、第２の殺菌処理装置１０２としては、その他の実施の形態と同様のものが使用できる。
【産業上の利用可能性】
【０１２７】
本発明によれば、船舶におけるバラスト水の処理において有用である。
【符号の説明】
【０１２８】
１０１    第１の殺菌処理装置
１０２    第２の殺菌処理装置
１０３    バラストタンク
１０４    シーチェスト
１０５    バラスト水供給ライン
１０６，１０７，１１０，１１１    ライン
１０８    バラストポンプ
２０１    第１の殺菌処理装置
２０９    ストレーナ
２１１    貯留槽
２１２    電解槽
２１３，２１４，２１５，２１６    ライン
２１７    ポンプ
２１８    塩化ナトリウム水溶液／塩化ナトリウム貯留タンク
２１９    処理槽
３１１    貯留槽
３１２    電解槽
３０６，３０７，３１５，３１６    ライン
７０２ａ，７０２ｂ、７０２ｃ，７０２ｄ    第２の殺菌処理装置
７０３，    バラストタンク
７０３ａ，７０３ｂ，７０３ｃ，７０３ｄ    区画
７０６ａ，７０７ａ    ライン
８０２，８０２ａ，８０２ｂ    第２の殺菌処理装置
８０３    バラストタンク
８０３ａ，８０３ｂ，８０３ｃ，８０３ｄ    区画
８０６，８０６ａ，８０６ｂ    ライン
８０７，８０７ａ，８０７ｂ    ライン
８１１    貯留槽
８１２    電解槽
８１５，８１６    ライン
１１１ａ，１１１ｂ，１０１０    ライン
１０１１    ポンプ
１１０１    第１の殺菌処理装置
１１１０，１１１１    ライン
１３０１    第１の殺菌処理装置
１３０５    バラスト水供給ライン
【図１】
2012020218.tif 000004
【図２Ａ】
2012020218.tif 000005
【図２Ｂ】
2012020218.tif 000006
【図２Ｃ】
2012020218.tif 000007
【図２Ｄ】
2012020218.tif 000008
【図３】
2012020218.tif 000009
【図４】
2012020218.tif 000010
【図５】
2012020218.tif 000011
【図６】
2012020218.tif 000012
【図７】
2012020218.tif 000013
【図８Ａ】
2012020218.tif 000014
【図８Ｂ】
2012020218.tif 000015
【図９】
2012020218.tif 000016
【図１０】
2012020218.tif 000017
【図１１】
2012020218.tif 000018
【図１２】
2012020218.tif 000019
【図１３】
2012020218.tif 000020